(57)【要約】      （修正有）【課題】展示場や店頭でのポップアップ、様々な場所での掲示など、多用途に使用でき、様々なメッセージや情報を表示できる嵌め替え表示パネルを提供する。【解決手段】嵌め替え表示パネルは、表面１０Ｆと裏面１０Ｂと、この両面を画する側部１０Ｔとを有する２次元状の表示板１０と、表示板を被着物に固定し得る固定手段３０とを備え、表示板を固定手段により被着物に固定して、表示板に表現したメッセージを表示する。表示板は、表面から裏面へ貫通する１又は複数の表示窓１４を有し、文字、図形、記号あるいは色又はこれらの組み合わせ（以下、「文字等」ともいう）による表現を、表面及び／又は裏面に表示し、表示窓に嵌合する複数の表示ピース２０を備え、１又は複数の表示窓に、表示ピースを１個ずつ嵌合させることによりバラエティーに富んだメッセージを表示面となる表面及び／又は裏面に表示し得る。【選択図】図１
0003233866.tif 000002
【実用新案登録請求の範囲】
【請求項１】
表面と裏面と、この両面を画する側部とを有する２次元状の表示板と、
前記表示板を被着物に固定し得る固定手段と、を備え、
前記表示板を前記固定手段により被着物に固定して、該表示板に表現したメッセージを表示する表示パネルにおいて、
前記表示板は、前記表面から前記裏面へ貫通する１又は複数の表示窓を有し、
表面と裏面と、この両面を画する側部とを有し、文字、図形、記号あるいは色又はこれらの組み合わせ（以下、「文字等」ともいう）による表現を、該表面及び／又は該裏面に表示し、前記表示窓に嵌合する複数の表示ピースを備え、
前記１又は複数の表示窓に、前記表示ピースを１個ずつ嵌合させることによりバラエティーに富んだメッセージを表示面となる前記表面及び／又は前記裏面に表示し得る、嵌め替え表示パネル。
【請求項２】
表面と裏面と、この両面を画する側部とを有する２次元状の表示板と、
前記表示板を被着物に固定し得る固定手段と、を備え、
前記表示板を前記固定手段により被着物に固定して、該表示板に表現したメッセージを表示する表示パネルにおいて、
前記表示板は、前記表面及び／又は前記裏面に凹設した１又は複数の表示窓を有し、
表面と裏面と、この両面を画する側部とを有し、文字、図形、記号あるいは色又はこれらの組み合わせによる表現を、該表面及び／又は該裏面に表示し、前記表示窓に嵌合する複数の表示ピースを備え、
前記１又は複数の表示窓に、前記表示ピースを１個ずつ嵌合させることによりバラエティーに富んだメッセージを表示面となる前記表面及び／又は前記裏面に表示し得る、嵌め替え表示パネル。
【請求項３】
前記２次元状の表示板の全体又は一部が、前記裏面から前記表面方向に凸型又は凹型の曲面を成す、請求項１に記載の嵌め替え表示パネル。
【請求項４】
前記表示窓に嵌合させた前記表示ピースが、前記２次元状の表示板から突出する、請求項１に記載の嵌め替え表示パネル。
【請求項５】
前記固定手段は、
被着物に掛止するＳ字型フックと、該Ｓ字型フックを貫通し得る前記表示板に設けた穴である、請求項１に記載の嵌め替え表示パネル。
【請求項６】
前記固定手段は、
被着物に掛止する紐と、該紐を貫通し得る前記表示板に設けた穴である、請求項１に記載の嵌め替え表示パネル。
【請求項７】
前記固定手段は、
前記表示板の上部に該表示板と一体成形されたハンガー型形状である、請求項１に記載の嵌め替え表示パネル。
【請求項８】
前記表示板の形状を、生物の全部又は一部を外形に象り、前記文字等を表示した前記表示ピースを前記表示窓に嵌合させる、請求項１に記載の嵌め替え表示パネル。
【請求項９】
前記表示板の形状を、物の全部又は一部を外形に象り、前記文字等を表示した前記表示ピースを前記表示窓に嵌合させる、請求項１に記載の嵌め替え表示パネル。
【請求項１０】
（１）商品の宣伝、紹介、及び／又は売買に関する取引き情報Ｘを発信すると共に、取引き情報Ｘに関連付けられた画像化情報を該商品に関連付けられた媒体上に表示して、画像化情報を利用者（顧客）ｃに提供する、取引き情報Ｘの発信者（販売者）ｂのサーバＢと、
（２）取引き情報Ｘを利用する利用者（顧客）ｃの、Ｗｅｂ情報閲覧及び画像化情報読み取り可能なデバイスＣと、が、
（３）Ｗｅｂ情報を送受信可能なコンピュータネットワークを介して接続され、
（４）サーバＢは、取引き情報ＸをＷｅｂ上に発信し、
（５）デバイスＣは、利用者ｃが取引き情報Ｘへのアクセスの際に、前記媒体上に表示された画像化情報を読み取る、画像化情報利用のシステムΩ０において、
前記媒体を表示窓に嵌合する表示ピースとして、その表面及び／又は裏面に特定のＵＲＬを埋め込んだ画像化情報を表示し、該画像化情報をスキャンしたデバイスＣに該特定のＵＲＬの取引き情報Ｘを表示させる、請求項１に記載の嵌め替え表示パネル。
【考案の詳細な説明】
【技術分野】
【０００１】
本考案は、嵌め替え表示パネル、および、嵌め替え表示パネルを用いた画像化情報利用のシステムに関する。
【背景技術】
【０００２】
特許文献１は、「自動車の価格などの情報を記載したシートを、表示板の表面に磁気的に吸着される外周部を除いた箇所を透明としてカバーと当該表示板の表面との間に挟むと共に、該表示板の裏面側に備えられた支持枠を上方に突き出させた状態として、この支持枠を自動車の車内のルームミラーに接しさせることでインスツルメントパネル上に設置され、フロントガラスを通して前記シートに記載された自動車の価格等が車外から見えるようにして用いられ、前記カバーは、外周部においてその裏面に形成された塗膜により枠状の非透明部が形成されており、当該カバーにおけるこの非透明部の領域内に帯状の磁石が備えられた表示具」を開示している。
【０００３】
また、特許文献２は、「自動車のフロントガラスにおける車室内側に設けられることで、車両の価格等の情報を車両外部から視認できる表示具であって、前記情報が記載された表示紙が差し込まれる長方形状で、ポリプロピレンで形成されている複数の表示紙収納部と、前記フロントガラスに固定するための吸盤と、前記表示紙収納部の前記表示紙を差し込み可能な上半部位、下半部位におけるそれぞれの上端部における幅方向両端部に形成されている吸盤装着部と、によって構成されていることを特徴とする表示具」に係る考案を開示している。
【０００４】
特許文献３は、「自動車のリアウインドウ内側に掲示する表示板に、適宜の図柄と安全運転標語を表示し、前記図柄に顔写真表示部を設けた、自動車用表示板」に係る考案を開示している。図柄を仮装衣服又は動物の図柄とし、これら図柄の顔部分を上記顔写真表示部とし、図柄や顔写真に貼付する付属シールなどを組み合わせて、後続車の運転手へのコミュニケーションツールとして用い、後続車の運転手に親近感を与えて安全運転メッセージを強化する作用・効果を奏する。
【０００５】
【特許文献１】意匠登録第１５１８０６１号公報
【特許文献２】実用新案登録第３２０１６８３号公報
【特許文献３】実用新案登録第３１００１００号公報
【特許文献４】実用新案登録第３１１２９４９号公報
【考案の概要】
【考案が解決しようとする課題】
【０００６】
この様に、自動車のフロントガラス越しに表示する種々の表示具が考案されているが、これらの表示具の機能は車の価格や性能などの情報伝達に特化しており、その形状や表示方法が画一的で、顧客の関心を惹く顧客吸引機能や顧客を楽しませる娯楽性には欠けている。また、構成要素が多く機構的に複雑な表示具も多く、用途が車両内の設置に限定されて他商品のポップアップ広告などへの転用が困難である。
【０００７】
そこで、本考案は、企業や店舗、家庭における掲示や展示場や店頭でのポップアップなどの多用途に手軽に使用でき、様々なメッセージや情報を表示できる嵌め替え表示パネルを提供する。
【課題を解決するための手段】
【０００８】
本考案に係る嵌め替え表示パネルは、表面と裏面と、この両面を画する側部とを有する２次元状の表示板と、前記表示板を被着物に固定し得る固定手段と、を備え、前記表示板を前記固定手段により被着物に固定して、該表示板に表現したメッセージを表示する表示パネルにおいて、
前記表示板は、前記表面から前記裏面へ貫通する１又は複数の表示窓を有し、表面と裏面と、この両面を画する側部とを有し、文字、図形、記号あるいは色又はこれらの組み合わせ（以下、「文字等」ともいう）による表現を、該表面及び／又は該裏面に表示し、前記表示窓に嵌合する複数の表示ピースを備え、前記１又は複数の表示窓に、前記表示ピースを１個ずつ嵌合させることによりバラエティーに富んだメッセージを表示面となる前記表面及び／又は前記裏面に表示し得る。
【０００９】
本考案に係る嵌め替え表示パネルは、表面と裏面と、この両面を画する側部とを有する２次元状の表示板と、前記表示板を被着物に固定し得る固定手段と、を備え、前記表示板を前記固定手段により被着物に固定して、該表示板に表現したメッセージを表示する表示パネルにおいて、
前記表示板は、前記表面及び／又は前記裏面に凹設した１又は複数の表示窓を有し、表面と裏面と、この両面を画する側部とを有し、文字、図形、記号あるいは色又はこれらの組み合わせによる表現を、該表面及び／又は該裏面に表示し、前記表示窓に嵌合する複数の表示ピースを備え、前記１又は複数の表示窓に、前記表示ピースを１個ずつ嵌合させることによりバラエティーに富んだメッセージを表示面となる前記表面及び／又は前記裏面に表示し得る。
【００１０】
本考案に係る嵌め替え表示パネルは、前記２次元状の表示板の全体又は一部が、前記裏面から前記表面方向に凸型又は凹型の曲面を成してもよい。
【００１１】
本考案に係る嵌め替え表示パネルは、前記表示窓に嵌合させた前記表示ピースを、前記２次元状の表示板から突出させてもよい。
【００１２】
本考案に係る嵌め替え表示パネルにおいて、前記固定手段は、被着物に掛止するＳ字型フック又は紐と、該Ｓ字型フック又は紐を貫通し得る前記表示板に設けた穴である。
【００１３】
本考案に係る嵌め替え表示パネルにおいて、前記固定手段は、前記表示板の上部に該表示板と一体成形されたハンガー型形状である。
【００１４】
本考案に係る嵌め替え表示パネルは、前記表示板の形状を、生物の全部又は一部を外形に象り、あるいは物の全部又は一部を外形に象り、前記文字等を表示した前記表示ピースを前記表示窓に嵌合させてもよい。
【００１５】
本考案に係る嵌め替え表示パネルは、
（１）商品の宣伝、紹介、及び／又は売買に関する取引き情報Ｘを発信すると共に、取引き情報Ｘに関連付けられた画像化情報を該商品に付けられた媒体上に表示して、画像化情報を利用者（顧客）ｃに提供する、取引き情報Ｘの発信者（販売者）ｂのサーバＢと、
（２）取引き情報Ｘを利用する利用者（顧客）ｃの、Ｗｅｂ情報閲覧及び画像化情報読み取り可能なデバイスＣと、が、
（３）Ｗｅｂ情報を送受信可能なコンピュータネットワークを介して接続され、
（４）サーバＢは、取引き情報ＸをＷｅｂ上に発信し、
（５）デバイスＣは、利用者ｃが取引き情報Ｘへのアクセスの際に、前記媒体上に表示された画像化情報を読み取る、画像化情報利用のシステムΩ０において、
前記媒体を表示窓に嵌合する表示ピースとして、その表面及び／又は裏面に特定のＵＲＬを埋め込んだ画像化情報を表示し、該画像化情報をスキャンしたデバイスＣに該特定のＵＲＬの取引き情報Ｘを表示させてもよい。
【考案の効果】
【００１６】
本考案に係る嵌め替え表示パネルは、表示板の表示窓に嵌合させる表示ピースを取り替えることにより、様々な数字の表示具として使用できる。例えば、日付の表示として「○○日」、来場者数「来場者数○○人」、気温「只今の気温○○℃」、時間「焼き立てパンの焼きあがり時間○○時」、値段「○○円」などである。
【００１７】
また、本考案に係る嵌め替え表示パネルは、様々な取替ポップとして使用でき、本体の形を様々に取り替えることで、ポップとして宣伝広告を行う様々な商品を連想させることができる。例えば、会議室の使用状況の「使用中」「空室」などに利用できる。あるいは、店舗での使用として「営業中」「準備中」「ポイント○倍」「半額」など、ペットショップでの使用として「お昼寝中」「お散歩中」など、プールでの使用として「準備中」「プールの日」などに使用できる。また、レストランなどで１２パターンの商品名を予め用意しておき、毎月嵌め替える今月のおすすめ料理名などを表示してもよい。
【００１８】
さらに、本考案に係る嵌め替え表示パネルは、２次元状の表示板の全体又は一部を凸型又は凹型の曲面にしたり、表示窓に嵌合させる表示ピースを表示板から突出させるようにして、様々なバリエーションを持たせることができる。
【００１９】
また、本考案に係るネットワークを利用した情報提供可能な嵌め替え表示パネルは、表示窓に嵌合する表示ピースの表面及び／又は裏面に特定のＵＲＬを埋め込んだ画像化情報を表示し、インターネットなどのコンピュータネットワークを介して、画像化情報をスキャンした顧客の携帯通信デバイス等に特定のＵＲＬのページを表示させ、様々な情報を提供することもできる。
【図面の簡単な説明】
【００２０】
【図１】本考案に係る嵌め替え表示パネル（表示板と表示ピース）の、（ａ）正面分解図、（ｂ）側面分解図、および、（ｃ）表示板の裏面図。
【図２】本考案に係る嵌め替え表示パネルの裏面図（左側）および表示ピースの正面図（右側上段）と裏面図（右側下段）。
【図３】本考案に係る他の実施形態の、（ａ）嵌め替え表示パネルと表示ピースの正面図、（ｂ）嵌め替え表示パネル（表示板と表示ピース）の側面分解図、および、（ｃ）嵌め替え表示パネルの裏面図。
【図４】フロントガラス（被着物）に固定した、本考案に係る嵌め替え表示パネルの正面図。
【図５】本考案に係る嵌め替え表示パネルの、（ａ）固定手段をＳ字型フックとした嵌め替え表示パネルと固定手段の正面分解図、（ｂ）固定手段をハンガー型掛け具とした嵌め替え表示パネルの正面図。
【図６】花店のドアと窓（被着物）に固定した、本考案に係る嵌め替え表示パネルの正面図。
【図７】本考案に係るネットワークを利用した情報提供可能な嵌め替え表示パネルを利用して情報提供を行う、（ａ）ネットワークの概略図、（ｂ）別の態様のネットワークの概略図。
【図８】（ａ）本考案の実施例に係る嵌め替え表示パネルの正面図、（ｂ）嵌め替え表示パネルを構成する表示板と表示ピースの正面図。
【図９】（ａ）本考案の他の実施例に係る嵌め替え表示パネルの正面図、（ｂ）嵌め替え表示パネルを構成する表示板と表示ピースの正面図。
【図１０】（ａ）本考案の更に他の実施例に係る嵌め替え表示パネルの正面図、（ｂ）嵌め替え表示パネルを構成する表示板と表示ピースの正面図。
【図１１】（ａ）本考案の更に他の実施例に係る嵌め替え表示パネルの正面図、（ｂ）嵌め替え表示パネルを構成する表示板と表示ピースの正面図。
【図１２】（ａ）本考案の更に他の実施例に係る嵌め替え表示パネルの正面図、（ｂ）嵌め替え表示パネルを構成する表示板と表示ピースの正面図。
【図１３】（ａ）本考案の更に他の実施例に係る嵌め替え表示パネルの正面図、（ｂ）嵌め替え表示パネルを構成する表示板と表示ピースの正面図。
【考案を実施するための形態】
【００２１】
以下、図面を参照しながら本考案に係る嵌め替え表示パネル及びこの嵌め替え表示パネルを利用した情報提供ネットワークの実施形態、実施例について説明する。なお、以下各図面を通して同一の構成要素には同一の符号を使用するものとする。
Ｉ．嵌め替え表示パネル
【００２２】
［実施形態１］
本考案に係る嵌め替え表示パネル１は、図１（ａ）〜（ｃ）に示すように、表面１０Ｆ（図１（ａ））と裏面１０Ｂ（図１（ｃ））と、この両面を画する側部１０Ｔ（図１（ｂ））とを有する２次元状の表示板１０と、表示板１０を壁や窓などの被着物１００に固定し得る固定手段３０とを備える。図１（ａ）〜（ｃ）において、表示板１０は、例えば熊の顔を象っており、固定手段３０は、吸盤３３ａとこれを貫通させる穴（吸盤装着部）３３ｂの組である。
【００２３】
本実施形態１の嵌め替え表示パネル１において、表示板１０は、表面１０Ｆから裏面１０Ｂへ貫通する１又は複数の表示窓１４を有する。図１（ａ）、（ｃ）において、表示窓１４の数は２つである。嵌め替え表示パネル１は、この表示窓１４に嵌合する複数の表示ピース２０を備え（図１（ａ））、１又は複数の表示窓１４に、表示ピース２０を１個ずつ嵌合させることによりバラエティーに富んだメッセージを、表示面となる表面１０Ｆ及び／又は裏面１０Ｂに表示することができる。
【００２４】
なお、本考案に係る嵌め替え表示パネル１において、その構成要素の表示板１０や表示ピース２０は、車などの被着物１００を傷つけにくく、耐熱性に優れて長持ちする材質、例えばＥＶＡ（ethylene-vinyl acetate copolymer）で形成するのが好ましいが、その材料は特に限定されない。
【００２５】
図４は、例えば被着物１００を車のフロントガラスとして、図１（ａ）〜（ｃ）の表示板１０を吸盤３３ａ（固定手段３０）によりフロントガラス（被着物１００）に固定した、フロントガラス越しに見る表面１０Ｆの正面図である。固定手段３０（吸盤３３ａ、穴３３ｂ）により固定した嵌め替え表示パネル１は、表示板１０の表面１０Ｆ（図１（ａ））に表現したメッセージを表示する。
【００２６】
図４において、メッセージとは、熊の顔の形をした表示板１０の熊の目の部分に嵌合させた２つの表示ピース２０が表示する「２８」と、その下に予め表示板１０に表現された「年式」（固定情報１６）である。図４において嵌め替え表示パネル１は、例えば、被着物１００の中古車が、「平成２８年式」の車であることを表示する。
【００２７】
図２左側は、図１（ａ）の表示板１０に表示ピース２０を嵌合させた図４の替え表示パネル１の裏面１０Ｂ側である（図１（ｃ）参照）。図２右側に示すように、表示ピース２０は、表面２０Ｆと裏面２０Ｂと、この両面を画する側部２０Ｔとを有し、文字、図形、記号あるいは色又はこれらの組み合わせ（以下、「文字等」ともいう）による表現を、表面１０Ｆ及び／又は裏面１０Ｂに表示する。図２右側において、上段の表示ピース２０の表面２０Ｆは数字の１、２、３、・・・９、０を表現し、下段の表示ピース２０の裏面２０Ｂは、上段の表面２０Ｆと同じ数字を、例えば色違いで表現する。表面２０Ｆと裏面２０Ｂの文字等の表現は異なってよい。
【００２８】
本考案の嵌め替え表示パネル１は、この表示ピース２０を、図１（ａ）〜（ｃ）や図２左側に示す表示板１０に設けた１又は複数の表示窓１４に、１個ずつ嵌合させることにより、メッセージを表示面となる表面１０Ｆ及び／又は裏面１０Ｂに表示することができる。また、表面１０Ｆと裏面１０Ｂの色や固定情報１６を変えたり、表示ピース２０の表示を変えたりして、バラエティーに富んだ多彩なメッセージを表現することができる。
【００２９】
［実施形態２］
実施形態２に係る嵌め替え表示パネル１は、表示板１０が図３（ｂ）のように、表面１０Ｆ及び／又は裏面１０Ｂに凹設した１又は複数の表示窓１４を有している。本実施形態２の表示窓１４は、上記実施形態１の表示窓１４のように表面１０Ｆと裏面１０Ｂを貫通しないので、表示窓１４の表示板１０における配置は、表面１０Ｆ（図３（ａ））と裏面１０Ｂ（図３（ｃ））とで異なってもよい。
【００３０】
図３（ａ）〜（ｃ）に示す表示板１０は、例えば兎の顔を象っており、表面１０Ｆに凹設した２つの表示窓１４に、「２」と「８」を表面２０Ｆに表示した表示ピース２０がそれぞれ嵌合されている。図３（ａ）右側に示す表示ピース２０は、表面２０Ｆに数字の１、２，３、・・・９、０を表現しているが、裏面１０Ｂには文字等を表示してもよいし、表示しなくてもよい。
【００３１】
本実施形態２の嵌め替え表示パネル１においては、表面１０Ｆと裏面１０Ｂとで表示窓１４の数や配置を変えることができるので、表面１０Ｆと裏面１０Ｂとで異なるバリエーションのメッセージを表示することができる。
【００３２】
なお、以上の実施形態１、２では、図１〜３のように、表示板１０を平面板としたが、２次元状の表示板１０の全体又は一部が、裏面１０Ｂから表面１０Ｆ方向に凸型又は凹型の曲面を含んでもよい。例えば、表示板１０を、お面のように表面が全体に凸型となるように構成してもよい。また、表示窓１４に嵌合させる表示ピース２０を、２次元状の表示板１０から突出させるように、表示ピース２０の側部２０Ｔの厚さにバリエーションを持たせてもよい。
【００３３】
固定手段３０
上記実施形態１、２では、固定手段３０を、吸盤３３ａとこれを貫通させる穴（吸盤装着部）３３ｂの組としたが、本考案に係る嵌め替え表示パネル１において、固定手段３０は特に限定されない。例えば、固定手段３０を、壁などの被着物１００に取り付けるホックと、ホックを貫通させて係止し得る表示板１０に設けた穴としてもよく、あるいは、被着物１００と非表示面とに貼付する両面テープや面ファスナーとしてもよい。あるいは、表示板１０を机や棚などの平面上に固定する場合は、被着物１００上に載置したスタンド式支持具などであってよく、天井を被着物１００とすれば、天井から吊るした紐を表示板１０に設けた穴に通して用いてもよい。
【実施例１】
【００３４】
本実施例１では、固定手段３０として、図５（ａ）にＳ字型フック３１ａとこのＳ字型フックを装着する穴３１ｂ、及び、図５（ｂ）にハンガー型掛け具３２を提示する。図５（ａ）において固定手段３０はＳ字型フック３１ａと装着穴３１ｂの組であるが、図５（ｂ）のハンガー型掛け具３２のように、固定手段３０は表示板１０と一体成形されてもよい。
【００３５】
表示板１０の形状
また、上記実施形態１、２では、表示板１０の形状を動物の顔に象り、２つの表示窓１４をこの動物の両眼位置に配置し、文字等を表示した複数の表示ピース２０の内の２つを表示窓１４に嵌合させたが、本考案に係る嵌め替え表示パネル１において表示板１０の形状は限定されない。表示板１０の形状を動物の顔以外の、任意の生物の全部又は一部を外形に象ってよく、表示窓１４も目などの構成要素に限定する必要はなく、文字等を表示した表示ピース２０を任意の位置に配置された表示窓１４に嵌合させることができる。
【００３６】
あるいは、表示板１０の形状を、物の全部又は一部を外形に象り、これを構成する構成要素の全部又は一部を表示窓１４として、文字等を表示した表示ピース２０を表示窓１４に嵌合させてもよい。また、表示窓１４の位置を構成要素に限らず、任意の位置に配置してもよい。
【００３７】
表示ピース２０
さらに、表示窓１４に嵌合する表示ピース２０の形状は、表示板１０に貫通させ、又は凹設した表示窓１４と一致させるのが好ましい。表示ピース２０に表示する文字等は任意であり、その表面２０Ｆ又は裏面２０Ｂのみに表示してもよいし、その両面２０Ｆ、２０Ｂに同一又は異なる表示をしてもよい。
【００３８】
図１（ａ）〜（ｃ）のように、表示窓１４が表示板１０の表面１０Ｆと裏面１０Ｂを貫通する穴である場合、表示ピース２０の両面（表面２０Ｆと裏面２０Ｂ）に文字等を表示して、表示板１０の表面１０Ｆと裏面１０Ｂとで異なるメッセージや色違いのメッセージを表現することができる。また、上述のように、表示窓１４に貫通させる表示ピース２０を、２次元状の表示板１０から突出させ、あるいは凹部となるように、表示ピース２０の側部２０Ｔの厚さにバリエーションを持たせてもよい。
【００３９】
または、図３（ａ）〜（ｃ）のように、表示窓１４が表示板１０の表面１０Ｆ及び／又は裏面１０Ｂに凹設した穴である場合、表示ピース２０の側部２０Ｔの厚さを薄く調整して表示窓１４に嵌合するようにする。しかし、この場合でも、表示窓１４に嵌合させた表示ピース２０の表面が、２次元状の表示板１０から突出し、あるいは凹部となるように、表示ピース２０の側部２０Ｔの厚さを変化させたり、表面に凹凸を設けたりしてもよい。また、文字等は、表面２０Ｆと裏面２０Ｂの両面に表示してもよいし、何れか片面のみに表示してもよく、表示ピース２０の両面（表面２０Ｆと裏面２０Ｂ）に異なる文字等を表示して、その表面２０Ｆと裏面２０Ｂとで異なる文字や色違いの表示をするようにしてもよい。
【００４０】
以上、説明した本考案に係る嵌め替え表示パネル１は、展示会や店頭などでのポップアップだけでなく、いろいろな場所や状況に応じて表示板１０の色、形や、表示ピース２０の表示を適宜変えて、非常にバラエティーに富んだ用い方ができる。例えば、日付の表示として「○○日」、来場者数「来場者数○○人」、気温「只今の気温○○℃」、時間「焼き立てパンの焼きあがり時間○○時」、値段「○○円」など、様々な数字の表示具として使用できる。あるいは、例えば、会議室の使用状況の「使用中」「空室」などのように、様々な取替ポップとして使用できる。
【００４１】
また、同じ店舗でも、「営業中」「準備中」「ポイント○倍」「半額」など、様々な使い方ができる。例えば、ペットショップでの使用として「お昼寝中」「お散歩中」など、プールでの使用として「準備中」「プールの日」などに使用できる。また、レストランなどで１２パターンの商品名を予め用意しておき、毎月嵌め替える今月のおすすめ料理名などを表示してもよい。
【実施例２】
【００４２】
図６に、実施例２として、本考案に係る嵌め替え表示パネル１の使用例を示す。本実施例２において、花店の営業状態を示す嵌め替え表示パネル１がドアノブに掛けられて表示され、商品の入荷を示す嵌め替え表示パネル１が窓に貼付されて表示されている。このように、本考案に係る嵌め替え表示パネル１は、設置する位置や時期等に応じて適当な形状・表示を選択して、適切な情報を観者に提供することができる。
【００４３】
さらに、本考案に係る嵌め替え表示パネル１は、本体の形を変えることで商品を連想させることができる。
【００４４】
以下、このような嵌め替え表示パネル１の使い方の例を、更に実施例を用いて説明する。以下の実施例で参照する図８〜図１２において、固定具３０として、吸盤や紐などを装着する穴（３０）のみを表示する。
【実施例３】
【００４５】
図８（ａ）、（ｂ）に示す嵌め替え表示パネル１は、表示板１０の形状に泡立ったビールジョッキを表現している。図８（ｂ）のように、文字等を表示した表示ピース２０を複数用意して、表示窓１４に嵌合させ、ジョッキ入り生ビールの値段について観者に情報を提供することができる。このように、実施例３に係る嵌め替え表示パネル１は、居酒屋やレストランなどで、壁や柱にぶら下げてジョッキ入り生ビールの宣伝・広告あるいは情報提供を行って消費を誘引したり、入口にぶら下げたり看板に貼付して顧客を誘導したりすることができる。
【実施例４】
【００４６】
図９（ａ）、（ｂ）に示す嵌め替え表示パネル１は、表示板１０の形状に現在の行動状態を連想させる飼い犬を表現している。図９（ｂ）のように、訪問先住人の現在の行動などを表す表示ピース２０を複数用意して、適宜表示窓１４に嵌合させ、連絡の可否等について訪問者に情報を提供することができる。このような実施例４に係る嵌め替え表示パネル１は、例えば大学の先生や会社重役の個室に吊り下げて、訪問者に居場所を案内するのに好適である。
【実施例５】
【００４７】
図１０（ａ）、（ｂ）に示す嵌め替え表示パネル１は、表示板１０の形状にパンを表現している。図１０（ｂ）のように、数字を表す表示ピース２０を複数用意して、適宜表示窓１４に嵌合させ、パンの焼き上がり時間について観者に情報を提供することができる。このような実施例５に係る嵌め替え表示パネル１は、例えばパン屋において、工房の窓に貼付したり、入口ドアの窓に貼付して、人気のパンの焼き上がり時間を顧客に案内するのに用いることができる。
【実施例６】
【００４８】
図１１（ａ）、（ｂ）に示す嵌め替え表示パネル１は、表示板１０の形状にハロウィンを連想させるかぼちゃを表現している。図１１（ｂ）のように、数字を表す表示ピース２０を複数用意して、適宜表示窓１４に嵌合させ、ハロウィンまでの日数について観者に情報を提供することができる。このような実施例６に係る嵌め替え表示パネル１は、例えばハロウィンなどのイベント関連グッズを販売する店などで、関連商品の陳列棚に貼付したり、入口ドアの窓に貼付して、旬なイベント関連グッズを顧客に案内するのに好適である。
【実施例７】
【００４９】
図１２（ａ）、（ｂ）に示す嵌め替え表示パネル１は、表示板１０の形状にピアノを表現している。図１２（ｂ）のように、数字や案内等を表示した表示ピース２０を複数用意して、表示窓１４に嵌合させ、開演時間などについて観者に情報を提供することができる。このように、実施例７に係る嵌め替え表示パネル１は、コンサート会場やレストランなどで、会場のドアや入口にぶら下げて、コンサートや演奏の宣伝・広告や演奏日時などの案内を行うことができる。
【実施例８】
【００５０】
図１３（ａ）、（ｂ）に示す嵌め替え表示パネル１は、例えば店のロゴやイメージを付したプレート型の表示板１０である。図１３（ｂ）のように、「ＯＰＥＮ」、「ＣＬＯＳＥ」の表示ピース２０を用意して、適宜表示窓１４に嵌合させ、店の開閉を訪問した顧客に告知することができる。このような実施例８に係る嵌め替え表示パネル１は、例えば喫茶店やレストランの入口ドアに吊り下げて用いることができる。
ＩＩ．ネットワークを利用した情報提供可能な嵌め替え表示パネル
【００５１】
本考案に係る嵌め替え表示パネル１は、表示窓１４に嵌合する表示ピース２０の表面２０Ｆ及び／又は裏面２０Ｂに特定のＵＲＬを埋め込んだ画像化情報を表示し、インターネットなどのコンピュータネットワークを介して、画像化情報をスキャンした顧客の携帯通信デバイス等に特定のＵＲＬのページを表示させ、様々な情報を提供することもできる。図７（ａ）に、画像化情報をＱＲコード（登録商標）として表示ピース２０に表現した、本考案に係る嵌め替え表示パネル１を利用して情報提供を行うネットワークの概略図を示す。
【００５２】
このような本考案に係るネットワークを利用した情報提供可能な嵌め替え表示パネル１は、
（１）商品の宣伝、紹介、及び／又は売買に関する取引き情報Ｘを発信すると共に、取引き情報Ｘに関連付けられた画像化情報を当該商品に関連付けられた媒体上に表示して、画像化情報を利用者（顧客）ｃに提供する、取引き情報Ｘの発信者（販売者）ｂのサーバＢと、
（２）取引き情報Ｘを利用する利用者（顧客）ｃの、Ｗｅｂ情報閲覧及び画像化情報読み取り可能なデバイスＣと、が、
（３）Ｗｅｂ情報を送受信可能なコンピュータネットワーク２００を介して接続され、
（４）サーバＢは、取引き情報ＸをＷｅｂ上に発信し、
（５）デバイスＣは、利用者ｃが取引き情報Ｘへのアクセスの際に、上記媒体上に表示された画像化情報を読み取る、画像化情報利用のシステムΩ０において、
上記媒体を表示窓１４に嵌合する表示ピース２０として、その表面１０Ｆ及び／又は裏面１０Ｂに取引き情報Ｘを発信する特定のＵＲＬを埋め込んだ画像化情報を表示し、該画像化情報を読み取ったデバイスＣに当該特定のＵＲＬが発信する取引き情報Ｘを表示させることができる。この場合、画像化情報は例えばＱＲコード（登録商標）が好適である（図７（ａ）参照）。
【実施例９】
【００５３】
本実施例９に係るネットワークを利用した情報提供可能な嵌め替え表示パネル１において、取引き情報Ｘの発信者（販売者）ｂは、上記商品に関連付けられた媒体上に表示する画像化情報をＡＲマーカとしてもよい。このＡＲマーカとこれに対応させたアノテーションをサーバＢの記憶部に登録し、登録したＡＲマーカをデバイスＣが読み取れば上記記憶部を参照するアプリケーション（以下、「アプリ」ともいう）を配布する。ＡＲマーカを、例えば表示ピース２０に表示した画像化情報や嵌め替え表示パネル１の形状として、利用者（顧客）ｃが上記アプリをインストールしたデバイスＣにより、このＡＲマーカを読み取れば、これに対応する登録アノテーションを取引き情報ＸとしてデバイスＣに表示することができる。
【００５４】
ＡＲマーカは、各表示ピース２０に表示した画像化情報、又は、嵌め替え表示パネル１の形状、模様、色彩等、あるいはこれらの組み合わせ、又は、上記画像化情報と嵌め替え表示パネル１の形状等の組み合わせであってよい（図７（ｂ）の嵌め替え表示パネル１を参照）。種々のＡＲマーカをサーバＢの記憶部に登録し、対応させたアノテーションにより、様々な情報を利用者（顧客）ｃに提供することができる。
【実施例１０】
【００５５】
あるいは、ＡＲマーカとこれに対応させたアノテーションを、これを統括管理する管理者ａがサーバＡのデータベースで管理してもよい。図７（ｂ）に、このようなＡＲマーカをサーバＡのデータベースで管理する、実施例１０に係る嵌め替え表示パネル１を利用して情報提供を行うネットワークの概略図を示す。
【００５６】
図７（ｂ）に示すネットワークにおいて、取引き情報Ｘの発信者（販売者）ｂは、自己の商品に関連付けられた媒体上に表示するＡＲマーカとこれに対応させたアノテーションをサーバＡのデータベースに登録し、管理者ａは登録したＡＲマーカをデバイスＣが読み取れば上記データベースを参照するアプリ１１４を配布する。例えば発信者（販売者）ｂの店に設置した嵌め替え表示パネル１やその表示ピース２０の表示等をＡＲマーカとして、この店を訪問した利用者（顧客）ｃが、上記アプリをインストールしたデバイスＣによりこのＡＲマーカを読み取れば、サーバＡに登録した対応するアノテーションを取引き情報ＸとしてデバイスＣに表示することができる。
【００５７】
以上、本考案に係る嵌め替え表示パネルおよびネットワークを利用した情報提供可能な嵌め替え表示パネルについて説明したが、本考案は上記実施形態及び実施例に限定されるものではない。
【００５８】
その他、本考案は、その主旨を逸脱しない範囲で当業者の知識に基づき種々の改良、修正、変更を加えた態様で実施できるものである。
【産業上の利用可能性】
【００５９】
本考案に係る嵌め替え表示パネルは、壁や天井を形成するパネルの連結具として用いることができる。
【符号の説明】
【００６０】
１：嵌め替え表示パネル
１０： 表示板
１０Ｆ：（表示板）表面
１０Ｂ：（表示板）裏面
１０Ｔ：側部
１４：表示窓
１６：固定情報
２０：表示ピース
２０Ｆ：（表示板）表面
２０Ｂ：（表示板）裏面
２０Ｔ：側部
３０：固定手段
３１ａ：Ｓ字型フック
３１ｂ：穴（Ｓ字型フック装着部）
３２：ハンガー型掛け具
３３ａ：吸盤
３３ｂ：穴（吸盤装着部）
１００：被着物
１１０：デバイスＣ
１１２：取引き情報Ｘの表示画面
１１４：アプリケーション（アプリ）の表示画面
２００：ネットワーク
【図１】
0003233866.tif 000003
【図２】
0003233866.tif 000004
【図３】
0003233866.tif 000005
【図４】
0003233866.tif 000006
【図５】
0003233866.tif 000007
【図６】
0003233866.tif 000008
【図７】
0003233866.tif 000009
【図８】
0003233866.tif 000010
【図９】
0003233866.tif 000011
【図１０】
0003233866.tif 000012
【図１１】
0003233866.tif 000013
【図１２】
0003233866.tif 000014
【図１３】
0003233866.tif 000015